(57)【要約】【課題】作業性の向上を図るようにしたバッテリーターミナルを提供する。【解決手段】ボルト挿通孔３７を有する基板３４、及びその基板３７の左右方向の両端部にそれぞれ連成され且つ基板３７から離れるにつれて傾斜が上下方向の面に近づく複数の摺接面が形成された一対の多段摺接部３５、３５を有するブラケット３０と、ボルト挿通孔３７に挿通され且つ環状部５の上側から操作されると螺合状態が進行し一対の多段摺接部３５、３５を一対の連結部（締め付け部）７、７に対して摺接させるボルト３１及びナット３２と、を備えてバッテリーターミナル１の締め付け手段を構成する。【選択図】    図１
2004186096.tif 000002
【特許請求の範囲】
【請求項１】
バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、
前記締め付け間隙を介し前記一対の締め付け部を互いに近づけて前記バッテリーポスト挿入穴を縮径方向に縮める締め付け手段と、
を備えたバッテリーターミナルであって、
ボルト挿通孔を有する基板、及び該基板の左右方向の両端部にそれぞれ連成され且つ前記基板から離れるにつれて傾斜が上下方向の面に近づく複数の摺接面が形成された一対の多段摺接部を有するブラケットと、
前記ボルト挿通孔に挿通され且つ前記環状部の上側から操作されると螺合状態が進行し前記一対の多段摺接部を前記一対の締め付け部に対して摺接させるボルト及びナットと、
を備えて前記締め付け手段を構成した
ことを特徴とするバッテリーターミナル。
【請求項２】
請求項１に記載のバッテリーターミナルにおいて、
前記一対の多段摺接部と前記一対の締め付け部との摺接部分の下方に位置する一対の受け部と、前記ボルトに対する第二ボルト挿通孔とを有し、前記ブラケットの反対側且つ前記一対の締め付け部と前記ボルトの頭部との間に配設されて前記ブラケットと共に前記一対の締め付け部を挟み込む第二ブラケットを前記締め付け手段として更に備えた
ことを特徴とするバッテリーターミナル。
【請求項３】
請求項２に記載のバッテリーターミナルにおいて、
前記一対の多段摺接部の各先端に、前記第二ブラケットの左右方向の両端部分に近接して該第二ブラケットのがたつきを抑える一対のがた止めを形成した
ことを特徴とするバッテリーターミナル。
【請求項４】
請求項１ないし請求項３いずれか記載のバッテリーターミナルにおいて、
前記複数の摺接面における摺接面連続部分に曲面を形成した
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図１０において、引用符号１０１はバッテリー１０２のバッテリーポスト１０３に取り付けられるバッテリーターミナルを示している。そのバッテリーターミナル１０１は、バッテリーポスト１０３を挿入するためのバッテリーポスト挿入穴１０４を有するバッテリーターミナル本体１０５と、バッテリーポスト挿入穴１０４の径を縮径させるためのボルト１０６及びナット１０７とを備えて構成されている。バッテリーターミナル本体１０５には、外部端子接続用の端子固定ボルト１０８及びナット１０９が設けられている。その端子固定ボルト１０８には、例えばヒュージブルリンクやスタータ等に電力を供給するためのケーブル１１０がＬＡ端子１１１を介して接続されるようになっている。
【０００３  】
このようなバッテリーターミナル１０１は、バッテリーターミナル本体１０５のバッテリーポスト挿入穴１０４を介してバッテリーポスト１０３が挿入され、ボルト１０６及びナット１０７が水平方向からインパクトレンチ等の工具で締め付けられてバッテリーポスト１０３に固定されるようになっている。
【０００４  】
ところで、近年のエンジンルーム内の設置部品の過密化した状態においては、上記工具が設置部品に干渉し易く、バッテリーターミナル１０１の取り付け作業に影響を来している。そこで本願出願人は、次のような構成及び構造のバッテリーターミナルの提供を検討し、十分な成果を得ている。
【０００５  】
図８及び図９において、本願出願人が提供の検討をしたバッテリーターミナル１２１は、バッテリーポスト１２２を挿入するためのバッテリーポスト挿入穴１２３を有するバッテリーターミナル本体１２４と、バッテリーポスト挿入穴１２３の径を縮径させるための締め付け手段１２５とを備えて構成されている。
【０００６  】
バッテリーターミナル本体１２４は、一対の環状部１２６、１２７と、一対の接合板１２８、１２９とを有している。その一対の環状部１２６、１２７は、略Ｕ字状に折り曲げられた一対の締め付け部としての連結部１３０、１３０の各端部に連成されており、上下方向に重なるように配設されている。このような環状部１２６、１２７の各中央には、バッテリーポスト挿入穴１２３が穿設されている。そのバッテリーポスト挿入穴１２３は、円周方向の一箇所が分断されており、そこに締め付け間隙１３１が形成されている。引用符号１３２は締め付け間隙１３１を含んで形成されたボルト挿通孔を示している。
【０００７  】
一対の接合板１２８、１２９は、各々、環状部１２６、１２７に連成されている。また、接合板１２８、１２９は、上下方向に重なるように配設されている。このような接合板１２８、１２９には、端子固定ボルト１３３が固定されている。その端子固定ボルト１３３には、ケーブル端末のＬＡ端子が接続されるようになっている。
【０００８  】
締め付け手段１２５は、締め付け間隙１３１を介して連結部１３０、１３０を互いに近づけ、バッテリーポスト挿入穴１２３を縮径方向に縮めるためのものであって、ブラケット１３４とボルト１３５とナット１３６とを備えて構成されている。そのブラケット１３４は、連結部１３０、１３０の上側に配設されるようになっており、基板１３７と、その基板１３７の左右両端部に連成される一対のテーパ部１３８、１３８とを有している。基板１３７の中央には、ボルト１３５を上下方向に挿通することが可能なボルト挿通孔１３９が貫通形成されている。テーパ部１３８、１３８は、先端に向けて次第にその間隔が広がるようなテーパ状に形成されている。
【０００９  】
締め付け手段１２５は、バッテリーターミナル本体１２４に対してセットされると、基板１３７が連結部１３０、１３０の各上面に対向し、テーパ部１３８、１３８が連結部１３０、１３０の左右両端部分に接触するようになっている。尚、ボルト１３５は、連結部１３０、１３０の下側から締め付け間隙１３１（ボルト挿通孔１３２）及びボルト挿通孔１３９に挿通されるようになっている。また、ナット１３６は、連結部１３０、１３０及び基板１３７の上側でボルト１３５に螺合するようになっている。
【００１０  】
上記構成において、上方からの操作によりナット１３６が締め付けられると、ボルト１３５及びナット１３６の螺合状態が進行する。そして、ボルト１３５及びナット１３６によって、ブラケット１３４が連結部１３０、１３０に押し付けられると、テーパ部１３８、１３８が連結部１３０、１３０の左右両端部分を摺接する。これにより、上下方向の締め付け力が左右方向の締め付け力に変換され、連結部１３０、１３０は互いに近づく方向（左右方向）に締め付けられる。そして、バッテリーポスト挿入穴１２３が縮径方向に縮み、そのバッテリーポスト挿入穴１２３はバッテリーポスト１２２の周側面に対して圧接状態になる。このような状態において、バッテリーターミナル１２１の取り付けが完了する。
【００１１  】
尚、上下方向の締め付け力を左右方向の締め付け力に変換して取り付けを行うバッテリーターミナルとしては、例えば下記特許文献１、２のようなものが知られている。
【００１２  】
【特許文献１】
特開２００２−１８４３８７号公報
【特許文献２】
特開２００２−１８４３８９号公報
【００１３  】
【発明が解決しようとする課題】
本願出願人が提供の検討をしたバッテリーターミナル１２１にあっては、工具とバッテリー周辺の設置部品との干渉を確実に避け、取り付けに係る作業を容易にすることができるという効果を奏している。しかしながら、バッテリーポスト挿入穴１２３がバッテリーポスト１２２の周側面に対して十分に圧接状態になる前では、ナット１３６の締め付けに伴って、バッテリーターミナル１２１がバッテリーポスト１２２を軸に回ってしまい、作業性に影響を来してしまうという恐れがある。
【００１４  】
一方、上下方向の締め付け力が左右方向の締め付け力に十分に変換されない場合には、連結部１３０、１３０がバッテリーターミナル１２１の正面視において八の字状に変形してしまうという恐れがある（ボルト１３５とブラケット１３４の連結部１３０、１３０に対する作用点が異なり、連結部１３０、１３０の中心線Ｌ１がＬ２となるような八の字状の変形が生じる。連結部１３０、１３０が八の字状に変形すると、バッテリーポスト挿入穴１２３が縮径方向に十分に縮まない恐れがある）。
【００１５  】
本発明は、上述した事情に鑑みてなされるもので、作業性の向上を図るようにしたバッテリーターミナルを提供することを課題とする。また、バッテリーターミナル本体の不本意な変形を抑えてバッテリーポスト挿入穴の縮径を確実に行えるようにしたバッテリーターミナルを提供することを課題とする。
【００１６  】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した環状部、及び前記一部分断された部分に連通する締め付け間隙を設けて前記環状部に対し並設される一対の締め付け部を有するバッテリーターミナル本体と、前記締め付け間隙を介し前記一対の締め付け部を互いに近づけて前記バッテリーポスト挿入穴を縮径方向に縮める締め付け手段と、を備えたバッテリーターミナルであって、ボルト挿通孔を有する基板、及び該基板の左右方向の両端部にそれぞれ連成され且つ前記基板から離れるにつれて傾斜が上下方向の面に近づく複数の摺接面が形成された一対の多段摺接部を有するブラケットと、前記ボルト挿通孔に挿通され且つ前記環状部の上側から操作されると螺合状態が進行し前記一対の多段摺接部を前記一対の締め付け部に対して摺接させるボルト及びナットと、を備えて前記締め付け手段を構成したことを特徴としている。
【００１７  】
請求項２記載の本発明のバッテリーターミナルは、請求項１に記載のバッテリーターミナルにおいて、前記一対の多段摺接部と前記一対の締め付け部との摺接部分の下方に位置する一対の受け部と、前記ボルトに対する第二ボルト挿通孔とを有し、前記ブラケットの反対側且つ前記一対の締め付け部と前記ボルトの頭部との間に配設されて前記ブラケットと共に前記一対の締め付け部を挟み込む第二ブラケットを前記締め付け手段として更に備えるとともに、前記一対の多段摺接部の各先端に、前記第二ブラケットの左右方向の両端部分に近接して該第二ブラケットのがたつきを抑える一対のがた止めを形成したことを特徴としている。
【００１８  】
請求項３記載の本発明のバッテリーターミナルは、請求項２に記載のバッテリーターミナルにおいて、前記一対の多段摺接部の各先端に、前記第二ブラケットの左右方向の両端部分に近接して該第二ブラケットのがたつきを抑える一対のがた止めを形成したことを特徴としている。
【００１９  】
請求項４記載の本発明のバッテリーターミナルは、請求項１ないし請求項３いずれか記載のバッテリーターミナルにおいて、前記複数の摺接面における摺接面連続部分に曲面を形成したことを特徴としている。
【００２０  】
請求項１に記載された本発明によれば、締め付け手段の操作がバッテリーターミナル本体の環状部の上側から行われる。その操作は、ボルト及びナットの螺合状態を進行させることにより開始される。ボルト及びナットの螺合状態が進行すると、ブラケットが一対の締め付け部に対して押し付けられる。そして、ブラケットの一対の多段摺接部が一対の締め付け部を摺接すると、上下方向の締め付け力が左右方向の締め付け力に変換され、一対の締め付け部が互いに近づく方向に締め付けられる。一対の締め付け部が締め付けられると、バッテリーポスト挿入穴が縮径方向に縮み、そのバッテリーポスト挿入穴がバッテリーポストに対して圧接状態となって、バッテリーターミナルの取り付けが完了する。
一対の多段摺接部の各摺接面は、基板から離れるにつれ、傾斜が上下方向の面に近づくことから、一対の締め付け部に対して最初に摺接する摺接面はその傾斜がきつくなる。従って、一対の締め付け部を素早く互いに近づく方向に移動させ、バッテリーポスト挿入穴をバッテリーポストに対して食いつくように接触させることが可能になる。また、一対の締め付け部に対して二番目に摺接する摺接面は、その傾斜が最初に摺接する摺接面の傾斜よりも緩くなる。従って、バッテリーターミナルの回り止めがなされ位置決めされた後は緩やかに一対の締め付け部を締め付けることが可能になる。尚、複数の摺接面を有することにより、ブラケットの上下方向の寸法が大きくなることはない。すなわち、傾斜が上下方向の面に近づく摺接面のみではブラケットの上下方向の寸法が大きくなるからである。
【００２１  】
請求項２に記載された本発明によれば、ボルト及びナットの螺合状態が進行すると、そのボルト及びナットによってブラケットと第二ブラケットとの間隔が狭められる。第二ブラケットが一対の締め付け部とボルトの頭部との間に配設されることから、ボルトによる上下方向の締め付け力が一対の締め付け部に対して局所的に作用することはない。また、ブラケットと一対の締め付け部との摺接において、上下方向の締め付け力が左右方向の締め付け力に十分に変換されない場合であっても、一対の締め付け部が摺接部分の下方で第二ブラケットにより支えられる。一対の締め付け部の不本意な変形が抑えられ、バッテリーポスト挿入穴の縮径が確実に行われる。
【００２２  】
請求項３に記載された本発明によれば、第二ブラケットは、ブラケットの一対のがた止めによりがたつきが抑えられた状態で請求項２の作用がなされる。
【００２３  】
請求項４に記載された本発明によれば、摺接面連続部分の曲面により一対の多段摺接部と一対の締め付け部との摺接がスムーズに進行する。引っ掛かりが抑えられ違和感なく締め付け手段の操作が行えるようになる。
【００２４  】
【発明の実施の形態】
以下、図面を参照して本発明の実施の形態を説明する。
図１は本発明のバッテリーターミナルの一実施の形態を示す分解斜視図である。また、図２は外観斜視図、図３は平面図、図４は正面図、図５は背面図、図６は側面図、図７は図６のＡ−Ａ線断面図である。
【００２５  】
図１ないし図６において、引用符号１は先端の直径が基端の直径よりも小さいテーパ状の周側面を有する既知のバッテリーポスト２に巻着するバッテリーターミナルを示している。そのバッテリーターミナル１は、バッテリーターミナル本体３と、複数の構成部材からなる締め付け装置４（特許請求の範囲に記載した締め付け手段に相当）とを有して構成されている。
【００２６  】
上記バッテリーターミナル本体３は、導電性を有する金属板をプレス加工することにより製造されており、一対の環状部５、６と、一対の連結部７、７（特許請求の範囲に記載した締め付け部に相当）と、一対の接合板８、９とを有している。また、バッテリーターミナル本体３は、一対の接合板８、９によって保持される端子固定ボルト１０及びナット（不図示）を有している。
【００２７  】
本明細書において、上記バッテリーポスト２の軸方向を垂直方向（上下方向に一致）とし、そのバッテリーポスト２の先端を上、基端を下と定義する。従って、環状部５が上、環状部６が下に配置されるものとする。また、同様に、接合板８が上、接合板９が下に配置されるものとする。
【００２８  】
環状部５は、平板状の上基板１１を有している。その上基板１１の略中央には、バッテリーポスト２を挿入するためのバッテリーポスト挿入穴１２が上下方向に貫通形成されている。また、上基板１１の左右両端部には、先端が下に向く係合部１３、１３がそれぞれ連成されている。
【００２９  】
バッテリーポスト挿入穴１２は、バッテリーポスト２の周側面に接触する部分であって、先端が下に向くように上基板１１から折り曲げられて形成されている。また、バッテリーポスト挿入穴１２は、バッテリーポスト２の先端側の直径に合わせて環状に形成されている。さらに、バッテリーポスト挿入穴１２は、連結部７、７の間となる部分が分断された状態で形成されている。引用符号１４はバッテリーポスト挿入穴１２の一部分断された部分を示している。
【００３０  】
環状部６は、平板状の下基板１５を有している。その下基板１５の略中央には、バッテリーポスト２を挿入するためのバッテリーポスト挿入穴１６が上下方向に貫通形成されている。また、下基板１５の左右両端部には、先端が下に向く係合部１７、１７がそれぞれ連成されている。このような係合部１７、１７には、後述する第二ブラケット３３に対しての回り止め部１８、１８が図示のように形成されている（従来では係合部の先端が上側に向くが、本発明においては、回り止め部１８のために先端を下側にした係合部１７が形成される。尚、上基板１１の係合部１３は、従来よりも長さが長く、上基板１１と下基板１５との間隔維持のために機能する）。
【００３１  】
バッテリーポスト挿入穴１６は、バッテリーポスト２の周側面に接触する部分であって、先端が下に向くように下基板１５から折り曲げられて形成されている。また、バッテリーポスト挿入穴１６は、バッテリーポスト２の基端側の直径に合わせて環状に形成されている。さらに、バッテリーポスト挿入穴１６は、連結部７、７の間となる部分が分断された状態で形成されている。尚、バッテリーポスト挿入穴１６の一部分断された部分は、上記引用符号１４の部分の真下にこれと同様に形成されているものとする（引用符号１４を用いるものとする）。
【００３２  】
連結部７、７は、上基板１１及び下基板１５を間隔をあけて上下に重なるようにこれらを連結する部分であって、前後方向にＵ字状に湾曲させられた状態に形成されている。すなわち、連結部７、７における前後方向且つ上側の端部が上基板１１の前端に連成され（上側の一部分断された部分１４の左右両側に連成される）、前後方向且つ下側の端部が下基板１５の前端に連成されて（下側の一部分断された部分１４の左右両側に連成される）、前後方向の断面視がＵ字状となるように形成されている。また、連結部７、７は、一部分断された部分１４、１４に連通する締め付け間隙１９を有して左右方向に並設されている。
【００３３  】
このような連結部７、７には、ボルト挿通孔２０と被摺接部２１、２１と当接部２２、２２とが形成されている。ボルト挿通孔２０は、締め付け間隙１９を含んで形成されている。また、ボルト挿通孔２０は、連結部７、７が互いに近接した状態において円形に近い形状になるように形成されている。
【００３４  】
被摺接部２１、２１は、連結部７、７の左右方向の端部（外側の端部）に配置形成されている。詳しくは、図示のように被摺接部２１、２１の基端部分が連結部７、７の左右方向且つ上側の端部に連成されており、被摺接部２１、２１の先端部分が連結部７、７の左右方向且つ下側の端部に連成された当接部２２、２２及び連結部７、７の各下面を巻き込むようにのびた状態に形成されている。尚、本形態において、被摺接部２１、２１は、傾斜面を有するように形成されている。また、被摺接部２１、２１と当接部２２、２２は、極力密着するように配置形成されている。当接部２２、２２の先端部分は、連結部７、７の上側内面に当接するように形成されている。
【００３５  】
接合板８は、上基板１１の後端に連成される接触板部２３と、その接触板部２３の左右方向の両端部に連成される下向きの側壁２４、２４とを有して構成されている。接触板部２３は、矩形状の平板であって、その中央には、端子固定ボルト１０に対するボルト挿通孔２５が貫通形成されている。側壁２４、２４の先端部分には、内側に折り返されて端子固定ボルト１０の頭部２６を保持する頭部保持片２７、２７が連成されている。
【００３６  】
接合板９は、下基板１５の後端に連成される矩形平板部２８と、その矩形平板部２８の左右方向の両端部に連成される側壁２９、２９とを有して構成されている。矩形平板部２８の中央には、端子固定ボルト１０の頭部２６の外形形状に合わせた頭部回転規制孔（不図示）が貫通形成されている。接合板９の左右方向の側壁２９、２９は、接合板８の側壁２４、２４の内側となるように配置形成されている。
【００３７  】
尚、接合板８、９、端子固定ボルト１０、及び図示しないナットによって外部接続端子（不図示）に対する接続部が形成されている。
【００３８  】
上記締め付け装置４は、締め付け間隙１９を介して連結部７、７を互いに近づけるとともに、バッテリーポスト挿入穴１２、１６を縮径方向に縮めるものであって、ブラケット３０と、ボルト３１及びナット３２と、第二ブラケット３３とを有して構成されている（第二ブラケット３３の設定は任意であるものとする）。
【００３９  】
ブラケット３０は、連結部７、７の上側に配設されるようになっている。また、ブラケット３０は、平面視短冊形状の厚肉金属板を折り曲げて形成されている。すなわち、ブラケット３０は、基板３４と、一対の多段摺接部３５、３５と、一対のがた止め３６、３６とを有するように形成されている（一対のがた止め３６、３６の設定は任意であるものとする）。
【００４０  】
基板３４の中央には、ボルト３１を上下方向に挿通することが可能なボルト挿通孔３７が貫通形成されている。多段摺接部３５、３５は、基板３４の長手方向（上記左右方向に一致）の両端部に連成されている。また、多段摺接部３５、３５は、先端に向けて次第にその間隔が広がるように略テーパ状に形成されている。このような多段摺接部３５、３５の内側には、基板３４から離れるにつれて傾斜が上下方向の面に近づく複数の摺接面３８、３９、４０がそれぞれ形成されている（摺接面の数は一例である。尚、本形態の摺接面４０は任意に設定されるものとする）。
【００４１  】
各摺接面３８、３８は、基板３４の上記両端部に連成されている。正面視左側の摺接面３８の傾斜角度は、本形態において、水平線（上記左右方向に一致）に対し６０°、正面視右側の摺接面３８の傾斜角度は、水平線に対し１２０°傾くように形成されている。各摺接面３９、３９は、各摺接面３８、３８に連成されている。正面視左側の摺接面３９の傾斜角度は、本形態において、水平線に対し７０°、正面視右側の摺接面３９の傾斜角度は、水平線に対し１１０°傾くように形成されている。各摺接面４０、４０は、各摺接面３９、３９に連成されている。各摺接面４０、４０の傾斜角度は、本形態において、水平線に対し９０°傾くように形成されている。各摺接面４０、４０は、被摺接部２１、２１に対し当接可能な部分であって、ブラケット３０のがたつきを規制することができるようになっている。
【００４２  】
各摺接面３８、３９、４０の摺接面連続部分には、曲面４１が形成されている（一部の曲面４１のみ符号を付す。曲面４１の設定及び曲率は任意であるものとする。スムーズな摺接を実現するために寄与する）。
【００４３  】
がた止め３６、３６は、多段摺接部３５、３５の各先端に連成されている。また、がた止め３６、３６は、第二ブラケット３３の左右方向の両端部分に近接するとともに、下方にのびるように形成されている。がた止め３６、３６は、第二ブラケット３３のがたつきを規制するために形成されている。
【００４４  】
ボルト３１は、ボルト挿通孔３７と締め付け間隙１９（ボルト挿通孔２０）と後述する第二ボルト挿通孔４６とに挿通されるようになっている。また、ボルト３１は、その軸がバッテリーポスト挿入穴１２、１６の軸に沿って平行に挿通されるようになっている。本形態においては、ボルト３１の頭部４２が下基板１５側に配置されるようになっている。ナット３２は、上基板１１側からボルト３１に対して螺合するようになっている。
【００４５  】
第二ブラケット３３は、金属製（強度を確保することができれば合成樹脂製でも可）の部材であって、基板４３とボルト回り止め部４４とボルト保持手段４５とを有するように形成されている。基板４３は、第二ボルト挿通孔４６と受け部４７、４７とを有している。受け部４７、４７は、ブラケット３０の多段摺接部３５、３５と連結部７、７の被摺接部２１、２１との摺接部分の下方に位置するように配置形成されている。ボルト回り止め部４４は、基板４３の一端、すなわち、バッテリーターミナル本体３の回り止め部１８、１８の当接部分に連成されている。ボルト回り止め部４４には、ボルト３１の頭部４２が当接するようになっている（ボルト３１の回り止めとして機能する）。
【００４６  】
ボルト保持手段４５は、基板４３の他端、すなわち回り止め部１８、１８の当接部分の反対側に連成されている。また、ボルト保持手段４５は、上記当接部分の反対側に連成され且つバッテリーターミナル本体３の連結部７、７の前方に配置形成される基端部分４８と、その基端部分４８に連成され且つブラケット３０と連結部７、７の各上面との間に差し込まれるボルト保持部分４９とを有するように形成されている。
【００４７  】
ボルト保持部分４９には、ボルト３１の軸をバッテリーポスト挿入穴１２、１６の軸に沿って平行に配置することが可能なボルト保持孔５０が形成されている（本形態において、ボルト保持孔５０は基端部分４８にも跨っている）。また、ボルト保持部分４９には、ブラケット３０を案内するためのガイド部５１、５１が形成されている。ガイド部５１、５１は、ボルト保持部分４９の端部を上方に折り曲げて形成されている。また、ガイド部５１、５１は、ボルト回り止め部４４の上方に配置形成されている。
【００４８  】
締め付け装置４は、バッテリーターミナル本体３に対してセットされると、ブラケット３０の基板３４が連結部７、７の各上面に対向し、ブラケット３０の多段摺接部３５、３５（摺接面３９、３８）が被摺接部２１、２１の上記傾斜面に対して接触するようになっている。また、第二ブラケット３３が連結部７、７の各下面に対向するとともに、その各下面にまで巻き込まれてのびた被摺接部２１、２１の先端部分に対して面接触するようになっている。さらに、第二ブラケット３３のボルト保持部分４９がブラケット３０と連結部７、７の各上面との間に差し込まれてブラケット３０が案内されるようになっている。さらにまた、ボルト３１が連結部７、７の下側から第二ブラケット３３の第二ボルト挿通孔４６、連結部７、７の締め付け間隙１９（ボルト挿通孔２０）、第二ブラケット３３のボルト保持孔５０、及びブラケット３０のボルト挿通孔３７に挿通され、ナット３２がブラケット３０の上側で螺合するようになっている。ボルト３１は、第二ブラケット３３のボルト保持孔５０によって、その軸がバッテリーポスト挿入穴１２、１６の軸に沿って平行に配置されるようになっている。
【００４９  】
次に、上記構成に基づき、バッテリーターミナル１のバッテリーポスト２に対する取り付け固定（接続）を説明する。
【００５０  】
先ず、バッテリーターミナル１を下方向に移動させてバッテリーポスト挿入穴１２、１６をバッテリーポスト２の周側面に接触させる。次に、バッテリーターミナル本体３の向きを所定方向に合わせて配置する。続いて、バッテリーターミナル本体３の上方からインパクトレンチ等の図示しない工具を用いてナット３２を締め付け、締め付け装置４の操作を開始する。
【００５１  】
締め付け装置４の操作において、ナット３２を締め付けると、ボルト３１及びナット３２の螺合状態が進行する。そして、ボルト３１及びナット３２の螺合状態が進行すると、そのボルト３１及びナット３２によってブラケット３０と第二ブラケット３３との間隔が狭められるとともに、ブラケット３０がガイド部５１、５１に案内されながら連結部７、７に対して押し付けられ、ブラケット３０の多段摺接部３５、３５が連結部７、７の被摺接部２１、２１を摺接する。これにより、上下方向の締め付け力が左右方向の締め付け力に変換され、連結部７、７が互いに近づく方向（左右方向）に締め付けられる。そして、バッテリーポスト挿入穴１２、１６が縮径方向に縮み、そのバッテリーポスト挿入穴１２、１６がバッテリーポスト２の周側面に対して圧接状態となって、バッテリーターミナル１の取り付けが完了する（連結部７、７の被摺接部２１、２１に対して最初に摺接する摺接面３９、３９の傾斜角度がきついことから、連結部７、７が素早く互いに近づく方向に移動する。これにより、バッテリーターミナル１の回り止めがなされ、確実に位置決めがなされる。二番目に摺接する摺接面３８、３８は、摺接面３９、３９よりも傾斜角度が緩いことから、被摺接部２１、２１に対して摺接すると、連結部７、７が緩やかに互いに近づく方向に移動する。尚、摺接面３９、３８によって締め付けトルクへの影響はないという結果が得られている）。
【００５２  】
以上、図１ないし図７までを参照しながら説明してきたように、本発明のバッテリーターミナル１は、素早く連結部７、７を互いに近づく方向に移動させることができる。すなわち、素早くバッテリーポスト挿入穴１２、１６をバッテリーポスト２の周側面に対して食いつくように接触させることができる。従って、取り付け固定の際にバッテリーターミナル１をバッテリーポスト２に対して回転し難くすることができる。作業性の向上を図ることができる。
【００５３  】
また、本発明のバッテリーターミナル１は、第二ブラケット３３を連結部７、７とボルト３１の頭部４２との間に配設して、ボルト３１による上下方向の締め付け力を連結部７、７に対して局所的に作用させないようにすることができる。ブラケット３０と連結部７、７との摺接において、上下方向の締め付け力が左右方向の締め付け力に十分に変換されない場合であっても、第二ブラケット３３により連結部７、７を摺接部分の下方で支えることができる。従って、連結部７、７の不本意な変形を抑え、バッテリーポスト挿入穴１２、１６の縮径を確実に行うことができる。
【００５４  】
さらに、本発明のバッテリーターミナル１は、上記図示しない工具と、バッテリー周辺の設置部品（不図示）との干渉を確実に避け、接続に係る作業（取り付けに係る作業）を容易にすることができる。
【００５５  】
その他、本発明は本発明の主旨を変えない範囲で種々変更実施可能なことは勿論である。すなわち、ブラケット３０と第二ブラケット３３の位置を上下逆にしてもよいものとする。
【００５６  】
尚、第二ブラケット３３に替えて次のような第二ブラケットを用いてもよいものとする。すなわち、ボルト保持手段４５を除いて、基板４３とボルト回り止め部４４とで構成した第二ブラケットに替えてもよいものとする。また、ボルト保持手段４５を除くとともに、その除いた部分にボルト回り止め部４４と同じものを設けて、基板４３と一対のボルト回り止め部４４とで構成した第二ブラケットに替えてもよいものとする。さらに、ボルト保持手段４５とボルト回り止め部４４とを除いて、基板４３のみで構成した第二ブラケットに替えてもよいものとする。
【００５７  】
【発明の効果】
以上説明したように、請求項１に記載された本発明によれば、締め付け手段の操作の際に一対の締め付け部を素早く互いに近づく方向に移動させてバッテリーターミナルをバッテリーポストに対し回転し難くすることができる。従って、作業性の向上を図ることができるという効果を奏する。
【００５８  】
請求項２に記載された本発明によれば、請求項１の発明の効果に加え次のような効果も奏する。すなわち、バッテリーターミナル本体の不本意な変形を抑えてバッテリーポスト挿入穴の縮径を確実に行うことができるという効果を奏する。
【００５９  】
請求項３に記載された本発明によれば、請求項２の発明の効果に加え次のような効果も奏する。すなわち、バッテリーターミナル本体の不本意な変形を抑える第二ブラケットのがたつきを抑えることができるという効果を奏する。
【００６０  】
請求項４に記載された本発明によれば、請求項１ないし請求項３いずれかの発明の効果に加え次のような効果も奏する。すなわち、引っ掛かりを抑えて違和感なく締め付け手段の操作を行うことができるという効果を奏する。
【図面の簡単な説明】
【図１】本発明によるバッテリーターミナルの一実施の形態を示す分解斜視図である。
【図２】バッテリーターミナルの外観斜視図である。
【図３】バッテリーターミナルの平面図である。
【図４】バッテリーターミナルの正面図である。
【図５】バッテリーターミナルの背面図である。
【図６】バッテリーターミナルの側面図である。
【図７】図６のＡ−Ａ線断面図である。
【図８】図１０の従来例の課題を解決すべく検討されたバッテリーターミナルの分解斜視図である。
【図９】図８のバッテリーターミナルの正面図である。
【図１０】従来例のバッテリーターミナルの分解斜視図である。
【符号の説明】
１  バッテリーターミナル
２  バッテリーポスト
３  バッテリーターミナル本体
４  締め付け装置（締め付け手段）
５、６  環状部
７  連結部（締め付け部）
８、９  接合板
１０  端子固定ボルト
１１  上基板
１２、１６  バッテリーポスト挿入穴
１３、１７  係合部
１４  一部分断された部分
１５  下基板
１８  回り止め部
１９  締め付け間隙
２０  ボルト挿通孔
２１  被摺接部
２２  当接部
２３  接触板部
２４  側壁
２５  ボルト挿通孔
２６  頭部
２７  頭部保持片
２８  矩形平板部
２９  側壁
３０  ブラケット
３１  ボルト
３２  ナット
３３  第二ブラケット
３４  基板
３５  多段摺接部
３６  がた止め
３７  ボルト挿通孔
３８〜４０  摺接面
４１  曲面
４２  頭部
４３  基板
４４  ボルト回り止め部
４５  ボルト保持手段
４６  第二ボルト挿通孔
４７  受け部
４８  基端部分
４９  ボルト保持部分
５０  ボルト保持孔
５１  ガイド部
【図１】
2004186096.tif 000003
【図２】
2004186096.tif 000004
【図３】
2004186096.tif 000005
【図４】
2004186096.tif 000006
【図５】
2004186096.tif 000007
【図６】
2004186096.tif 000008
【図７】
2004186096.tif 000009
【図８】
2004186096.tif 000010
【図９】
2004186096.tif 000011
【図１０】
2004186096.tif 000012